(57)【要約】      （修正有）【課題】メディアデータの移動・複製による無駄な作業時間を大幅に削減し、無駄で煩雑な外付から解放するためのノートパソコンを提供する。【解決手段】ノートパソコンに於いて、ＣＰＵと信号、データ、情報などを入出力する機器の一つであるメディアディスク駆動装置であるスリムドライブ装置を、ノートパソコンの前面もしくは両側などに、別個に二つを有する。また、ノートパソコンの前面もしくは両側などの一箇所に上下重ね合わせて、二つを有し、夫々独自にその機能を発揮する。【選択図】図１
0003133939.tif 000002
【実用新案登録請求の範囲】
【請求項１】
２枚ディスク同時装着可能なダブルドライブ式ノートパソコン。
【請求項２】
２枚ディスク同時装着可能なツインドライブ式ノートパソコン。
【考案の詳細な説明】
【技術分野】
【０００１】本考案は、ノートパソコンによる大容量メディアのデータの移動・複製の時間を大幅削減するために、ノートパソコンにダブルドライブ・ツインドライブ式を導入し、無駄な煩雑な外付け・無駄な時間を費やすこと無く、よりコンパクトで小スペースより高効率な作業を行うことができるようにしたものである  。
【背景技術】
【０００２】従来は、２枚ディスク同時装着可能なノートパソコンはなかった。
【考案の開示】
【考案が解決しようとする課題】
【０００３】ノートパソコンによる大容量メディアのデータの移動・複製の時、従来の仕組みは、本体のみで行うか外付けで行うかの二通りがあった。
本体のみで行う場合：
一旦メディアのデータをパソコン側のＨＤに一時的に記憶してから新メディアへ書き出す方法現状で、移動・複製データ量が多ければ多いほど一時記憶時間を費やしてしまい、またノートパソコン側のＨＤ残量に制限されることも問題である。
外付けで行う場合：
ノートパソコン側のＨＤ残量に制限なく、一時記憶が必要なくデータの移動・複製ができるが、煩雑な接続コード・電源・周辺機が増えることにより、ノートパソコンのコンパクトなメリットが出ない。
本考案は上述課題を一気に解消するためになされたものである。
【課題を解決するための手段】
【０００４】ノートパソコンにダブルドライブ・ツインドライブ方式を採用することによって、メディアデータの移動・複製に一時記憶時間がなく、ＨＤ残量に制限されることなく、煩雑な外付けも必要なく、ノートパソコンをよりコンパクト・より高効率的作業を行うことができるようにした。
【考案の効果】
【０００５】ノートパソコンにダブルドライブ・ツインドライブ式を採用することで、メディアデータの移動・複製に作業時間が大幅に削減され、煩雑な外付けから解放され、ノートパソコンをよりコンパクト、より高効率的作業を行うことができる。デザイン的にもスタイリッシュで、誰でも手軽にこれらの機能が実現でき、特に大容量データを扱う場合に大きな優位性を発揮する。
【実施例】
【０００６】
【産業上の利用可能性】
【０００７】ノートパソコンにダブルドライブ・ツインドライブ式を導入することで、デザイン的にも性能的にも誰でも現在手持ちのパソコンを手放して、新たにこれを買いたいという衝動を起こさせる。メーカとしては新たなマーケットができ、買い替え需要が発生する。また外付け機器の方法より、トータルとしてコストも安くでき、原材料の節約もでき、将来的に産業廃棄物などの観点から、環境に優しい商品となる。
【図面の簡単な説明】
【０００８】
【図１】本考案のダブルドライブ式ノートパソコンの図である。
【図２】本考案のツインドライブ式ノートパソコンの図である。
【符号の説明】
【０００９】
【図１】
0003133939.tif 000003
【図２】
0003133939.tif 000004
【手続補正書】
【提出日】平成18年12月4日(2006.12.4)
【手続補正１】
【補正対象書類名】実用新案登録請求の範囲
【補正対象項目名】全文
【補正方法】変更
【補正の内容】
【実用新案登録請求の範囲】
【請求項１】
ノートパソコンに於いて、ＣＰＵと信号、データ、情報などを入出力する機器の一つであるメディアディスク駆動装置（スリムドライブ装置）を、ノートパソコンの前面もしくは両側などに、別個に二つを有し、夫々独自にその機能を発揮する、ダブルスリムドライブ式ノートパソコン。
【請求項２】
ノートパソコンに於いて、ＣＰＵと信号、データ、情報などを入出力する機器の一つであるメディアディスク駆動装置（スリムドライブ装置）を、ノートパソコンの前面もしくは両側などの一箇所に上下重ね合わせて、二つを有し、夫々独自にその機能を発揮する、スリムツインドライブ式ノートパソコン。
【手続補正２】
【補正対象書類名】明細書
【補正対象項目名】全文
【補正方法】変更
【補正の内容】
【考案の詳細な説明】
【背景技術】
【０００２】ノートパソコンに於いてメディアディスクの駆動装置（スリムドライブ装置）は、ただ一つを有しており、従来は、二枚のディスクを装着可能なダブル式もしくはツイン式はなかった。ダブル式もしくはツイン式を行う技術は、実装上も電気回路的にも、従来技術の延長線上のものであり、容易に実施できる範囲のものである。
【考案が解決しようとする課題】
【０００３】従来、ノートパソコンによる大容量メディアのデータの移動・複製を行う時。その方法は、パソコン本体で行うか外付けで行うかの二通りがあった。
パソコン本体で行う場合：
一旦メディアのデータをパソコン側のハードディスク（略してＨＤ）に一時的に記憶してから新メディアへ書き出す方法で、移動・複製データの量が多ければ多いほど一時記憶時間を費やしてしまう、またノートパソコン側のＨＤの残量容量に制限され、必ずしもベストの方法とは云えない。
外付けで行う場合：
ノートパソコン側のＨＤの残量に制限なく、また一時記憶が必要なくデータの移動・複製ができるが、煩雑な接続コード・電源・周辺機が増えることにより、ノートパソコンのコンパクトというメリットが出なく、持ち運びに難がある。
本考案は上述課題を一気に解消するためになされたものである。
【図面の簡単な説明】
【０００８】
【図１】  従来のノートパソコンのスリムドライブと本体の構成図である。ノートパソコン１は電気回路２を有し、電気回路にはドライブ装置４と接続するマルチベイ接続端子３を有する、ノートパソコン１の内部にて、マルチベイ接続端子３とドライブ装置４が接続され、ノートパソコン１の入出力機器の一つとして、その機能を発揮する。
【図２】  本考案のダブルスリムドライブ式ノートパソコンの構成図である。ノートパソコン５は電気回路６を有し、電気回路にはドライブ装置と接続するマルチベイ接続端子７とマルチベイ接続端子９を有する、ドライブ装置（左）の８は、マルチベイ接続端子７と、ドライブ装置（右）の１０はマルチベイ接続端子９と、ノートパソコン５の内部にて接続され、ノートパソコン５の共通の入出力機器のとなり、その機能を発揮する。
【図３】  従来のノートパソコンのドライブと本体の構成図である。ノートパソコン１１は電気回路１２を有し、電気回路にはドライブ装置１４と接続するマルチベイ接続端子１３を有する、ノートパソコン１１の内部にて、マルチベイ接続端子１３とドライブ装置１４が接続され、ノートパソコン１１の入出力機器の一つとなって、その機能を発揮する。。
【図４】  本考案のツインスリムドライブ式ノートパソコンの構成図である。ノートパソコン１５は電気回路１６を有し、電気回路にはツインスリムドライブ装置１８と接続するマルチベイ接続端子１７を有する。ツインスリムドライブ装置１８はノートパソコン１５の内部に於いて、マルチベイ接続端子１７と接続され、ツインスリムドライブ装置内の上下のドライブ装置は、ノートパソコン１５の共通の入出力機器のとなり、その機能を発揮する。
【図５】  本考案のダブルスリムドライ式ノートパソコンの外見イメージ図である。
【図６】  本考案のスリムツインドライブ式ノートパソコンの外見イメージ図である。
【符号の説明】
【０００９】  １は市販のノートパソコン本体
２はノートパソコンのメイン電気回路（基板）
３はメイン基板にあるマルチベイ接続端子
４はドライブ装置
５は提案のダブルドライブ式ノートパソコン本体
６はノートパソコンのメイン電気回路（基板）
７はメイン基板にあるマルチベイ接続端子
８はドライブ装置（左）
９はメイン基板にあるマルチベイ接続端子
１０はドライブ装置（右）
１１は市販のノートパソコン本体
１２はノートパソコンのメイン電気回路（基板）
１３はメイン基板にあるマルチベイ接続端子
１４はドライブ装置
１５は提案のツインドライブ式ノートパソコン本体
１６はノートパソコンのメイン電気回路（基板）
１７はメイン基板にあるマルチベイ接続端子
１８はツインドライブ装置
１９は提案のダブルスリムドライ式ノートパソコンのイメージ
２０は提案のスリムツインドライブ式ノートパソコンのイメージ
【手続補正３】
【補正対象書類名】図面
【補正対象項目名】全図
【補正方法】変更
【補正の内容】
【図１】
0003133939.tif 000005
【図２】
0003133939.tif 000006
【図３】
0003133939.tif 000007
【図４】
0003133939.tif 000008
【図５】
0003133939.tif 000009
【図６】
0003133939.tif 000010
【手続補正書】
【提出日】平成19年4月13日(2007.4.13)
【手続補正１】
【補正対象書類名】実用新案登録請求の範囲
【補正対象項目名】全文
【補正方法】変更
【補正の内容】
【実用新案登録請求の範囲】
【請求項１】
ノートパソコンに於いて、ＣＰＵと信号、データ、情報などを入出力する機器の一つであるメディアディスク駆動装置の方法であるスリムドライブ装置を、ノートパソコンの前面もしくは両側などに、別個に二つを有し、夫々独自にその機能を発揮する、ダブルスリムドライブ式ノートパソコン。
【請求項２】
ノートパソコンに於いて、ＣＰＵと信号、データ、情報などを入出力する機器の一つであるメディアディスク駆動装置の方法であるスリムドライブ装置を、ノートパソコンの前面もしくは両側などの一箇所に上下重ね合わせて、二つを有し、夫々独自にその機能を発揮する、スリムツインドライブ式ノートパソコン。
【手続補正２】
【補正対象書類名】手続補正書
【補正対象項目名】手続補正２
【補正方法】変更
【補正の内容】
【手続補正２】
【補正対象書類名】明細書
【補正対象項目名】０００２
【補正方法】変更
【補正の内容】
【０００２】ノートパソコンに於いてメディアディスクの駆動装置の方法であるスリムドライブ装置は、ただ一つを有しており、従来は、二枚のディスクを装着可能なダブル式もしくはツイン式はなかった。ダブル式もしくはツイン式を行う技術は、実装上も電気回路的にも、従来技術の延長線上のものであり、容易に実施できる範囲のものである。


【手続補正３】
【補正対象書類名】手続補正書
【補正対象項目名】手続補正２
【補正方法】変更
【補正の内容】
【手続補正２】
【補正対象書類名】明細書
【補正対象項目名】０００３
【補正方法】変更
【補正の内容】
【０００３】従来、ノートパソコンによる大容量メディアのデータの移動・複製を行う時。その方法は、パソコン本体で行うか外付けで行うかの二通りがあった。
パソコン本体で行う場合：
一旦メディアのデータをパソコン側のハードディスクに一時的に記憶してから新メディアへ書き出す方法で、移動・複製デーだの量が多ければ多いほど一時記憶時間を費やしてしまう、またノートパソコン側のハードディスクの残量容量に制限され、必ずしもベストの方法とは云えない。
外付けで行う場合：
ノートパソコン側のハードディスク残量に制限なく、また一時記憶が必要なくデータの移動・複製ができるが、煩雑な接続コード・電源・周辺機が増えることにより、ノートパソコンのコンパクトというメリットが出なく、持ち運びに難がある。
本考案は上述課題を一気に解消するためになされたものである。


【手続補正４】
【補正対象書類名】手続補正書
【補正対象項目名】手続補正２
【補正方法】変更
【補正の内容】
【手続補正２】
【補正対象書類名】明細書
【補正対象項目名】０００８
【補正方法】変更
【補正の内容】
【０００８】
【図１】  従来のノートパソコンのスリムドライブと本体の構成図である。ノートパソコン１は電気回路２を有し、電気回路にはドライブ装置４と接続するマルチベイ接続端子３を有する、ノートパソコン１の内部にて、マルチベイ接続端子３とドライブ装置４が接続され、ノートパソコン１の入出力機器の一つとして、その機能を発揮する。
【図２】  本考案のダブルスリムドライブ式ノートパソコンの構成図である。ノートパソコン５は電気回路６を有し、電気回路にはドライブ装置と接続するマルチベイ接続端子７とマルチベイ接続端子９を有する、ドライブ装置の８は、マルチベイ接続端子７と、ドライブ装置の１０は、マルチベイ接続端子９と、ノートパソコン５の内部にて接続され、ノートパソコン５の共通の入出力機器となり、その機能を発揮する。
【図３】  従来のノートパソコンのドライブと本体の構成図である。ノートパソコン１１は電気回路１２を有し、電気回路にはドライブ装置１４と接続するマルチベイ接続端子１３を有する、ノートパソコン１１の内部にて、マルチベイ接続端子１３とドライブ装置１４が接続され、ノートパソコン１１の入出力機器の一つとして、その機能を発揮する。
【図４】  本考案のツインスリムドライブ式ノートパソコンの構成図である。ノートパソコン１５は電気回路１６を有し、電気回路にはツインスリムドライブ装置１８と接続するマルチベイ接続端子１７を有する。ツインスリムドライブ装置１８はノートパソコン１５の内部に於いて、マルチベイ接続端子１７と接続され、ツインスリムドライブ装置内の上下のドライブ装置は、ノートパソコン１５の共通の入出力機器となり、その機能を発揮する。
【図５】  本考案のダブルスリムドライブ式ノートパソコンの外見イメージ図である。
【図６】  本考案のスリムツインドライブ式ノートパソコンの外見イメージ図である。
【手続補正５】
【補正対象書類名】手続補正書
【補正対象項目名】手続補正２
【補正方法】変更
【補正の内容】
【手続補正２】
【補正対象書類名】明細書
【補正対象項目名】０００９
【補正方法】変更
【補正の内容】
【０００９】  １は市販のノートパソコン本体
２はノートパソコンのメイン電気回路及び基板部分
３はメイン基板にあるマルチベイ接続端子
４はドライブ装置
５は提案のダブルドライブ式ノートパソコン本体
６はノートパソコンのメイン電気回路及び基板部分
７はメイン基板にあるマルチベイ接続端子
８はドライブ装置
９はメイン基板にあるマルチベイ接続端子
１０はドライブ装置
１１は市販のノートパソコン本体
１２はノートパソコンのメイン電気回路及び基板部分
１３はメイン基板にあるマルチベイ接続端子
１４はドライブ装置
１５は提案のツインスリムドライブ式ノートパソコン本体
１６はノートパソコンのメイン電気回路及び基板部分
１７はメイン基板にあるマルチベイ接続端子
１８はツインドライブ装置
１９は提案のダブルスリムドライブ式ノートパソコンのイメージ
２０は提案のスリムツインドライブ式ノートパソコンのイメージ


【手続補正６】
【補正対象書類名】手続補正書
【補正対象項目名】手続補正３
【補正方法】変更
【補正の内容】
【手続補正３】
【補正対象書類名】図面
【補正対象項目名】全図
【補正方法】変更
【補正の内容】
【図１】
0003133939.tif 000011
【図２】
0003133939.tif 000012
【図３】
0003133939.tif 000013
【図４】
0003133939.tif 000014
【図５】
0003133939.tif 000015
【図６】
0003133939.tif 000016